(57)【要約】【課題】番組選定におけるユーザの利便性を向上すること。【解決手段】放送チャンネルで現在放送されている放送中の放送番組の放送データを受信して放送データ蓄積部１３に記憶させ、その放送データを放送データ蓄積部１３から読み出して、その放送中の放送番組でこれまでに放送された放送済の放送データを用いて当該放送中の放送番組の概要画像を生成し、所定の放送チャンネルが選局された際に、選局された放送チャンネルで現在放送されている放送中の放送番組の放送データが表示される前に、当該放送中の放送番組について生成された概要画像を表示する。【選択図】図１
2012049780.tif 000002
【特許請求の範囲】
【請求項１】
放送チャンネルで現在放送されている放送中の放送番組の放送データを受信して放送データ記憶手段に記憶させる放送データ受信手段と、
前記放送データを前記放送データ記憶手段から読み出して、前記放送中の放送番組でこれまでに放送された放送済の放送データを用いて当該放送中の放送番組の概要画像を生成する概要画像生成手段と、
所定の放送チャンネルが選局された際に、選局された放送チャンネルで現在放送されている放送中の放送番組の放送データが表示される前に、当該放送中の放送番組について生成された前記概要画像を表示する概要画像表示手段と、
を有することを特徴とする放送番組の概要画像提供システム。
【請求項２】
前記概要画像生成手段は、
前記放送済の放送データから一定時間間隔でシーンを検出する方法、前記放送済の放送データから画像特徴量が一定量以上変化するシーンを検出する方法、前記放送済の放送データから音量が一定量以上のシーンを検出する方法、事前に生成されたシーン抽出ポリシーに基づいて前記放送済の放送データからシーンを検出する方法のうちいずれか１以上の方法で、前記概要画像を生成することを特徴とする請求項１に記載の放送番組の概要画像提供システム。
【請求項３】
前記概要画像生成手段は、
コマーシャルメッセージを含まないように、又は、前記放送チャンネルの事業者若しくは前記放送中の放送番組の制作者のポリシーに基づいて、前記概要画像を生成することを特徴とする請求項１又は２に記載の放送番組の概要画像提供システム。
【請求項４】
前記概要画像生成手段は、
放送チャンネルが選局される前に、前記放送中の放送番組の概要画像を予め生成しておくことを特徴とする請求項１乃至３のうちいずれかに記載の放送番組の概要画像提供システム。
【請求項５】
前記概要画像表示手段は、
複数の前記概要画像を一定時間内で分割画面に一括表示することを特徴とする請求項１乃至４のうちいずれかに記載の放送番組の概要画像提供システム。
【請求項６】
前記放送データ記憶手段と前記放送データ受信手段と前記概要画像生成手段とはセンタ側に配備され、前記概要画像表示手段はローカル側に配備されることを特徴とする請求項１乃至５のうちいずれかに記載の放送番組の概要画像提供システム。
【請求項７】
コンピュータで行う放送番組の概要画像提供方法において、
放送チャンネルで現在放送されている放送中の放送番組の放送データを受信して放送データ記憶手段に記憶させる第１のステップと、
前記放送データを前記放送データ記憶手段から読み出して、前記放送中の放送番組でこれまでに放送された放送済の放送データを用いて当該放送中の放送番組の概要画像を生成する第２のステップと、
所定の放送チャンネルが選局された際に、選局された放送チャンネルで現在放送されている放送中の放送番組の放送データが表示される前に、当該放送中の放送番組について生成された前記概要画像を表示する第３のステップと、
を有することを特徴とする放送番組の概要画像提供方法。
【請求項８】
前記第２のステップは、
前記放送済の放送データから一定時間間隔でシーンを検出する方法、前記放送済の放送データから画像特徴量が一定量以上変化するシーンを検出する方法、前記放送済の放送データから音量が一定量以上のシーンを検出する方法、事前に生成されたシーン抽出ポリシーに基づいて前記放送済の放送データからシーンを検出する方法のうちいずれか１以上の方法で、前記概要画像を生成することを特徴とする請求項７に記載の放送番組の概要画像提供方法。
【請求項９】
前記第２のステップは、
コマーシャルメッセージを含まないように、又は、前記放送チャンネルの事業者若しくは前記放送中の放送番組の制作者のポリシーに基づいて、前記概要画像を生成することを特徴とする請求項７又は８に記載の放送番組の概要画像提供方法。
【請求項１０】
前記第２のステップは、
放送チャンネルが選局される前に、前記放送中の放送番組の概要画像を予め生成しておくことを特徴とする請求項７乃至９のうちいずれかに記載の放送番組の概要画像提供方法。
【発明の詳細な説明】
【技術分野】
【０００１】
本発明は、放送番組の概要画像を提供する技術に関する。
【背景技術】
【０００２】
現在、地上波放送やＢＳ／ＣＳ放送等を受信すると共にインターネットに接続可能なデジタルテレビが家庭やオフィス等に普及しつつある。ＩＰＴＶを始めとする通信を使った放送サービスを享受できるデジタルテレビ等の放送サービス受信装置は、複数の放送チャンネルから選局操作することが可能である。
【０００３】
非特許文献１によれば、複数の放送チャンネルからユーザにより所期される放送チャンネルが選局操作された場合、そのような放送サービス受信装置は、選局された放送チャンネルで放送中の放送番組の映像を画面に出力し、それと同時にその放送チャンネル名やその放送番組名等を画面に表示する技術が開示されている。
【０００４】
また、特許文献１によれば、同時提供される複数の放送チャンネルを俯瞰する技術として、複数の放送チャンネルの映像を複数の表示エリアに分けて同時に表示する技術や、放送チャンネルの選択を支援する技術が開示されている。
【先行技術文献】
【特許文献】
【０００５】
【特許文献１】特開２００６−２３７８８３号公報
【非特許文献】
【０００６】
【非特許文献１】「地上デジタルテレビジョン放送運用規定（技術資料）」、[online]、ARIB TR-B14 4.1版(第一分冊)(1/2)、社団法人  電波産業界、[平成22年7月30日検索]、インターネット<URL : http://www.arib.or.jp/english/html/overview/doc/4-TR-B14v4_1-1p3-1.pdf>
【発明の概要】
【発明が解決しようとする課題】
【０００７】
しかしながら、いずれの技術であっても、選局や選択された瞬間に放送されている放送番組の映像（放送チャンネル名や放送番組名を含む）のみ表示されるため、選局又は選択した放送チャンネルの放送番組の全体を把握することは困難である。例えば、選局時に放送されている放映シーンがコマーシャルメッセージであったり、特徴のない１シーンであったりすると、視聴者は選局した放送番組の内容を瞬時に把握・理解することができない。これでは、視聴者にとって放送番組選定の効率が悪く、放送番組を放映する側にとっても視聴者に対して放送番組の訴求に限界がある。
【０００８】
本発明は、上記を鑑みてなされたものであり、番組選定におけるユーザの利便性を向上することを課題とする。
【課題を解決するための手段】
【０００９】
請求項１に記載の放送番組の概要画像提供システムは、放送チャンネルで現在放送されている放送中の放送番組の放送データを受信して放送データ記憶手段に記憶させる放送データ受信手段と、前記放送データを前記放送データ記憶手段から読み出して、前記放送中の放送番組でこれまでに放送された放送済の放送データを用いて当該放送中の放送番組の概要画像を生成する概要画像生成手段と、所定の放送チャンネルが選局された際に、選局された放送チャンネルで現在放送されている放送中の放送番組の放送データが表示される前に、当該放送中の放送番組について生成された前記概要画像を表示する概要画像表示手段と、を有することを特徴とする。
【００１０】
本発明にあっては、放送チャンネルで現在放送されている放送中の放送番組の放送データを受信して放送データ記憶手段に記憶させ、その放送データを放送データ記憶手段から読み出して、その放送中の放送番組でこれまでに放送された放送済の放送データを用いて当該放送中の放送番組の概要画像を生成し、所定の放送チャンネルが選局された際に、選局された放送チャンネルで現在放送されている放送中の放送番組の放送データが表示される前に、当該放送中の放送番組について生成された概要画像を表示するため、選局した放送チャンネルで現在放送されている放送中の放送番組の全体を過去に遡って瞬時かつ効率的に把握し、直感的に認識することができ、番組選定におけるユーザの利便性を大きく向上することができる。
【００１１】
請求項２に記載の放送番組の概要画像提供システムは、請求項１に記載の放送番組の概要画像提供システムにおいて、前記概要画像生成手段は、前記放送済の放送データから一定時間間隔でシーンを検出する方法、前記放送済の放送データから画像特徴量が一定量以上変化するシーンを検出する方法、前記放送済の放送データから音量が一定量以上のシーンを検出する方法、事前に生成されたシーン抽出ポリシーに基づいて前記放送済の放送データからシーンを検出する方法のうちいずれか１以上の方法で、前記概要画像を生成することを特徴とする。
【００１２】
請求項３に記載の放送番組の概要画像提供システムは、請求項１又は２に記載の放送番組の概要画像提供システムにおいて、前記概要画像生成手段は、コマーシャルメッセージを含まないように、又は、前記放送チャンネルの事業者若しくは前記放送中の放送番組の制作者のポリシーに基づいて、前記概要画像を生成することを特徴とする。
【００１３】
本発明にあっては、コマーシャルメッセージを含まないように、又は、放送チャンネルの事業者若しくは放送中の放送番組の制作者のポリシーに基づいて、概要画像を生成するため、より適正な概要画像や、番組本編の訴求効果の高いシーンや制作者側の意思を反映した特定シーンが差し込まれた概要画像を生成することができ、ユーザによる選局時に番組視聴の訴求効果を向上させることができ、視聴率向上（視聴機会拡大）も期待できる。
【００１４】
請求項４に記載の放送番組の概要画像提供システムは、請求項１乃至３のうちいずれかに記載の放送番組の概要画像提供システムにおいて、前記概要画像生成手段は、放送チャンネルが選局される前に、前記放送中の放送番組の概要画像を予め生成しておくことを特徴とする。
【００１５】
本発明にあっては、放送チャンネルが選局される前に、放送中の放送番組の概要画像を予め生成しておくため、ユーザが選局操作した際に瞬時に放送番組の概要を提供することができる。
【００１６】
請求項５に記載の放送番組の概要画像提供システムは、請求項１乃至４のうちいずれかに記載の放送番組の概要画像提供システムにおいて、前記概要画像表示手段は、複数の前記概要画像を一定時間内で分割画面に一括表示することを特徴とする。
【００１７】
請求項６に記載の放送番組の概要画像提供システムは、請求項１乃至５のうちいずれかに記載の放送番組の概要画像提供システムにおいて、前記放送データ記憶手段と前記放送データ受信手段と前記概要画像生成手段とはセンタ側に配備され、前記概要画像表示手段はローカル側に配備されることを特徴とする。
【００１８】
本発明にあっては、放送データ記憶手段と放送データ受信手段と概要画像生成手段とはセンタ側に配備され、概要画像表示手段はローカル側に配備されるため、データが表示されるローカル側の装置に対する負荷を軽減し、放送データ視聴への影響を排除することができる。
【００１９】
請求項７に記載の放送番組の概要画像提供方法は、コンピュータで行う放送番組の概要画像提供方法において、放送チャンネルで現在放送されている放送中の放送番組の放送データを受信して放送データ記憶手段に記憶させる第１のステップと、前記放送データを前記放送データ記憶手段から読み出して、前記放送中の放送番組でこれまでに放送された放送済の放送データを用いて当該放送中の放送番組の概要画像を生成する第２のステップと、所定の放送チャンネルが選局された際に、選局された放送チャンネルで現在放送されている放送中の放送番組の放送データが表示される前に、当該放送中の放送番組について生成された前記概要画像を表示する第３のステップと、を有することを特徴とする。
【００２０】
本発明にあっては、放送チャンネルで現在放送されている放送中の放送番組の放送データを受信して放送データ記憶手段に記憶させ、その放送データを放送データ記憶手段から読み出して、その放送中の放送番組でこれまでに放送された放送済の放送データを用いて当該放送中の放送番組の概要画像を生成し、所定の放送チャンネルが選局された際に、選局された放送チャンネルで現在放送されている放送中の放送番組の放送データが表示される前に、当該放送中の放送番組について生成された概要画像を表示するため、選局した放送チャンネルで現在放送されている放送中の放送番組の全体を過去に遡って瞬時かつ効率的に把握し、直感的に認識することができ、番組選定におけるユーザの利便性を大きく向上することができる。
【００２１】
請求項８に記載の放送番組の概要画像提供方法は、請求項７に記載の放送番組の概要画像提供方法において、前記第２のステップは、前記放送済の放送データから一定時間間隔でシーンを検出する方法、前記放送済の放送データから画像特徴量が一定量以上変化するシーンを検出する方法、前記放送済の放送データから音量が一定量以上のシーンを検出する方法、事前に生成されたシーン抽出ポリシーに基づいて前記放送済の放送データからシーンを検出する方法のうちいずれか１以上の方法で、前記概要画像を生成することを特徴とする。
【００２２】
請求項９に記載の放送番組の概要画像提供方法は、請求項７又は８に記載の放送番組の概要画像提供方法において、前記第２のステップは、コマーシャルメッセージを含まないように、又は、前記放送チャンネルの事業者若しくは前記放送中の放送番組の制作者のポリシーに基づいて、前記概要画像を生成することを特徴とする。
【００２３】
本発明にあっては、コマーシャルメッセージを含まないように、又は、放送チャンネルの事業者若しくは放送中の放送番組の制作者のポリシーに基づいて、概要画像を生成するため、より適正な概要画像や、番組本編の訴求効果の高いシーンや制作者側の意思を反映した特定シーンが差し込まれた概要画像を生成することができ、ユーザによる選局時に番組視聴の訴求効果を向上させることができ、視聴率向上（視聴機会拡大）も期待できる。
【００２４】
請求項１０に記載の放送番組の概要画像提供方法は、請求項７乃至９のうちいずれかに記載の放送番組の概要画像提供方法において、前記第２のステップは、放送チャンネルが選局される前に、前記放送中の放送番組の概要画像を予め生成しておくことを特徴とする。
【００２５】
本発明にあっては、放送チャンネルが選局される前に、放送中の放送番組の概要画像を予め生成しておくため、ユーザが選局操作した際に瞬時に放送番組の概要を提供することができる。
【発明の効果】
【００２６】
本発明によれば、番組選定におけるユーザの利便性を向上することができる。
【図面の簡単な説明】
【００２７】
【図１】放送番組の概要画像提供システムにおける全体の機能ブロック構成を示す図である。
【図２】放送データ受信装置の動作フローを示す図である。
【発明を実施するための形態】
【００２８】
以下、本発明を実施する一実施の形態について図面を用いて説明する。但し、本発明は多くの異なる様態で実施することが可能であり、本実施の形態の記載内容に限定して解釈すべきではない。
【００２９】
図１は、本実施の形態に係る放送番組の概要画像提供システム１における全体の機能ブロック構成を示す図である。この概要画像提供システム１は、センタ側に設置された放送データ配信装置１０と、放送データ配信装置１０からＩＰ通信ネットワークを経由して配信される放送データ又は放送局から電波により送信される放送データを受信可能であり、ローカル側に設置された放送データ受信装置３０とで構成されている。なお、放送データとは、放送チャンネルで放送される映像（静止画像・動画像）と音声とを含み、放送に要する全てのデータを含むものとする。以下、それら各装置の機能や本システムの処理動作について説明した後に、本実施の形態によって得られる効果について説明する。
【００３０】
最初に、放送データ配信装置１０の機能について説明する。放送データ配信装置１０は、放送データ受信部１１と、放送データ配信部１２と、放送データ蓄積部１３と、概要画像生成部１４と、概要画像配信部１５とで構成されている。
【００３１】
放送データ受信部１１は、様々な放送局の放送チャンネルで現在放送されている放送中の放送番組の各放送データをそれぞれ受信して、受信した各放送データを後段の放送データ配信部１２にそれぞれ出力する機能を有している。また、受信した各放送データをそれぞれ識別可能に放送データ蓄積部１３に蓄積させる機能を有している。
【００３２】
放送データ配信部１２は、放送データ受信部１１から出力された放送データをＩＰ通信ネットワークを経由して放送データ受信装置３０に配信する機能を有している。
【００３３】
放送データ蓄積部１３は、放送データ受信部１１で受信した各放送チャンネルの各放送データを、放送チャンネルや放送番組を用いて識別可能に蓄積する機能を有している。放送チャンネルや放送番組を指定することにより、指定された放送チャンネルや放送番組の放送データを提供することができる。
【００３４】
概要画像生成部１４は、各放送チャンネルの各放送データを放送データ蓄積部１３から読み出して、放送データ受信装置３０で選局操作された放送チャンネルで現在放送されている放送中の放送番組でこれまでに放送された放送済の放送データ（放送データ蓄積部１３から読み出した放送データ）を用いて、選局操作された放送中の放送番組に関する複数の概要画像をリアルタイムに生成する機能を有している。また、放送チャンネルが選局操作されるまでに、定期的に複数回実行して、選局されるであろう放送中の放送番組の複数の概要画像を予め生成しておき、概要画像記憶部（不図示）に記憶させて事前に保持しておくことも可能である。なお、概要画像の生成方法については後述する。
【００３５】
概要画像配信部１５は、概要画像生成部１４で生成された又は予め生成されている概要画像をＩＰ通信ネットワークを経由して放送データ受信装置３０に配信する機能を有している。
【００３６】
次に、放送データ受信装置３０の機能について説明する。放送データ受信装置３０は、受信切替部３１と、選局操作信号受信部３２と、表示部３３とで構成されている。なお、放送データ受信装置３０の一例としては、ＩＰＴＶ対応デジタルテレビ等が挙げられる。
【００３７】
受信切替部３１は、表示部３３で表示される表示内容を、選局操作信号受信部３２で受信した選局操作信号で指定された放送チャンネルで現在放送されている放送中の放送番組の放送データか、その放送中の放送番組について生成された又は生成されている複数の概要画像か、に切り替える機能を有している。
【００３８】
具体的には、放送チャンネルを選局未操作中の場合（選局操作信号受信部３２で選局操作信号を受信しない場合）には、放送データ配信部１２によりＩＰ通信ネットワークを経由して配信され、又は放送局から電波により送信されている、現在選局中の放送チャンネルの放送データを表示する。
【００３９】
一方、現在選局中の放送チャンネルから他の放送チャンネルに選局操作された場合（選局操作信号受信部３２で選局操作信号を受信した場合）には、概要画像配信部１５から配信され、当該他の放送チャンネルで現在放送されている放送中の放送番組について生成された複数の概要画像を表示するように切り替える。そして、その概要画像を一定時間内（例えば１，２秒程度の時間内、以下同様）に表示した後に、今回選局操作された他の放送チャンネルの放送データを表示するように切り替える。
【００４０】
選局操作信号受信部３２は、ユーザ（視聴者）のリモコン操作に基づいてリモコン端末から出力された放送チャンネルの選局操作信号を受信して、受信切替部３１に出力する機能を有している。なお、このリモコン端末は、放送データ受信装置３０で表示される放送番組を選局する機能や、放送データ受信装置３０から出力される音量を制御する機能等が具備されており、一般的にはＩＰＴＶ対応デジタルテレビ等の販売時に付属されている。
【００４１】
表示部３３は、選局操作信号受信部３２で受信した選局操作信号で指定された放送チャンネルで現在放送されている放送中の放送番組の放送データを画面に表示出力する機能を有している。また、現在選局中の放送チャンネルから他の放送チャンネルに選局操作された場合には、その選局時の一定時間内で、選局操作された他の放送チャンネルで現在放送されている放送中の放送番組の放送データを表示出力する前に、その放送中の放送番組について生成された又は予め生成されている複数の概要画像を分割画面に一括表示出力する機能を有している。
【００４２】
次に、図２を参照しながら、概要画像提供システム１の動作について説明する。図２は、放送データ受信装置３０の動作フローを示す図である。なお、この動作フローは、放送データ受信装置３０において選局操作信号の入力待ち状態から開始されるものとする（Ｓ１）。
【００４３】
最初に、放送データ受信装置３０により、ユーザによる放送チャンネルの選局操作に基づいてリモコン端末から出力される選局操作信号の有無が検出される（Ｓ２）。
【００４４】
次いで、Ｓ２の処理によって選局操作信号が検出された場合（選局操作信号を選局操作信号受信部３２で受信した場合）、受信切替部３１により、表示部３３で表示される表示内容が、現在選局中の放送チャンネルの放送データ（放送データ配信部１２によりＩＰ通信ネットワークを経由して配信されている放送データ、又は放送局から電波により送信されている放送データ）から、検出された選局操作信号で指定された放送チャンネルで現在放送されている放送中の放送番組の概要画像（概要画像生成部１４により生成され、概要画像配信部１５により配信されている概要画像）に切り替えられる（Ｓ３）。なお、Ｓ２の処理によって選局操作信号が検出されない場合（選局操作信号を選局操作信号受信部３２で受信しない場合）には、Ｓ１の処理に戻る。
【００４５】
次いで、表示部３３により、Ｓ３の処理に基づいて複数の概要画像が一定時間内で４画面や９画面等の分割画面に一括表示出力される（Ｓ４）。
【００４６】
次いで、受信切替部３１により、その一定時間経過後、表示部３３で表示される表示内容が、複数の概要画像から、Ｓ２の処理で検出された選局操作信号で指定された放送チャンネルで現在放送されている放送中の放送番組の放送データに切り替えられる（Ｓ５）。
【００４７】
最後に、表示部３３により、Ｓ５の処理に基づいて放送データが表示出力される（Ｓ６）。なお、Ｓ６の処理後はＳ１の処理に戻る。
【００４８】
次に、概要画像生成部１４により行う概要画像の生成方法について説明する。なお、以下説明する生成方法は、番組訴求方針（パーソナライズ化を含む）や実現手段に応じて自由に選択される。また、それら各生成方法をそれぞれ個別に用いることも可能であるが、２つ以上を組み合わせて用いることも可能である。
【００４９】
一つ目の生成方法として、放送データ蓄積部１３に放送蓄積中の放送番組に対して、一定時間間隔でシーンを検出する方法を用いる。具体的には、放送データ蓄積部１３に現在蓄積されている放送済の放送データから一定時間間隔でシーンを検出し、検出された複数のシーンの画像を概要画像に用いる。但し、放送番組の放送時間が短く、シーンの検出数が画面分割数に満たない場合には、一括表示する際に概要画像が不足するため、不足箇所には代替画像等を用いて表示する。
【００５０】
二つ目の生成方法として、放送データ蓄積部１３に放送蓄積中の放送番組に対して、映像におけるシーン変化を検出する方法を用いる。具体的には、放送データ蓄積部１３に現在蓄積されている放送済の放送データから画像特徴量が一定量以上変化するシーンを検出し、検出された複数のシーンの画像を概要画像に用いる。
【００５１】
三つ目の生成方法として、放送データ蓄積部１３に放送蓄積中の放送番組に対して、音声により盛り上がったシーンを検出する方法を用いる。具体的には、放送データ蓄積部１３に現在蓄積されている放送済の放送データから音量が一定量以上のシーンを検出し、検出された複数のシーンの画像を概要画像に用いる。
【００５２】
四つ目の生成方法として、放送データ蓄積部１３に放送蓄積中の放送番組に対して、事前に生成されたポリシー（シーン抽出ポリシー）に従って特定シーンを検出する方法を用いる。例えば、放送局等の番組制作側より提示された放送時間ごとの抽出シーン等が挙げられる。
【００５３】
なお、上記各生成方法に対するオプションとして、放送局等の番組制作側からシーンの提示と共に放送予定番組の提供（蓄積許可）を事前に受け、その放送予定番組に対して訴求したい特定シーンの概要画像の生成を放送予定番組の放送までに完了しておくようにしてもよい。但し、ライブ番組では、この生成方法を用いることはできない。また、放送局等の番組制作側より番組の事前蓄積及び特定シーンの事前提示が可能な場合に限定される。
【００５４】
より最適な概要画像を生成するために、以下を前提としてシーン抽出の最適化を図る必要がある。
【００５５】
まず、コマーシャルメッセージを含まないようにシーンを検出し、検出されたシーンの画像を概要画像に用いる。選局操作時にコマーシャルメッセージが放映中の場合、選局操作された放送チャンネルの放送番組の概要を把握することができず、把握するには時間をずらして再度選局することが必要になるためである。
【００５６】
その他、視聴訴求効果の高い番組シーンが含まれるようにシーンを検出したり、番組出演者の出演シーンが特定の人に偏らずにバランス良く含まれる、逆に、特定の人に限定されるようなシーンを検出して、検出されたシーンの画像を概要画像に用いる。訴求効果の高い番組シーンとしては、ドラマ等における前回放送時の次回予告に使用されるシーン等が挙げられる。概要画像の生成は、放送チャンネルの事業者や放送中の放送番組の制作者等のポリシー（事業者や制作者の意思が反映されたポリシー）に基づくシーン抽出により実現される。
【００５７】
本実施の形態によれば、放送チャンネルで現在放送されている放送中の放送番組の放送データを受信して放送データ蓄積部１３に記憶させ、その放送データを放送データ蓄積部１３から読み出して、その放送中の放送番組でこれまでに放送された放送済の放送データを用いて当該放送中の放送番組の概要画像を生成し、所定の放送チャンネルが選局された際に、選局された放送チャンネルで現在放送されている放送中の放送番組の放送データが表示される前に、当該放送中の放送番組について生成された概要画像を表示するので、選局した放送チャンネルで現在放送されている放送中の放送番組の全体を過去に遡って瞬時かつ効率的に把握し、直感的に認識することができ、番組選定におけるユーザの利便性を大きく向上することができる。
【００５８】
本実施の形態によれば、センタ側で放送中に放送チャンネルの放送番組を蓄積しながら複数の概要画像を生成しておくので、ユーザの選局操作のタイミングに応じて最適な概要画像を配信して表示することができる。
【００５９】
本実施の形態によれば、コマーシャルメッセージを含まないように、又は、放送チャンネルの事業者若しくは放送中の放送番組の制作者のポリシーに基づいて、概要画像を生成するので、より適正な概要画像や、番組本編の訴求効果の高いシーンや制作者側の意思を反映した特定シーンが差し込まれた概要画像を生成することができ、ユーザによる選局時に番組視聴の訴求効果を向上させることができ、視聴率向上（視聴機会拡大）も期待できる。
【００６０】
本実施の形態によれば、放送データ受信部１１と放送データ蓄積部１３と概要画像生成部１４とはセンタ側に配備され、表示部はローカル側に配備されるので、データが表示されるローカル側の装置に対する負荷を軽減し、放送データ視聴への影響を排除することができる。すなわち、ローカル側で全放送チャンネル分の放送番組を常時蓄積する場合、ハードディスクの空き容量やチューナー数の制約を受けるが、センタ側であれば、ユーザが個別にローカル側で蓄積するのと違って効率的であり、また、ローカル側のリソースに余計な負荷をかけないですむ。
【００６１】
本実施の形態によれば、放送蓄積中の放送番組に対してリアルタイムに概要画像を生成するので、ライブ放送の番組にも対応することができる。また、選局操作までに定期的に概要画像を生成することを複数回実施し、放送チャンネルが選局される前に、放送中の放送番組の概要画像を予め生成しておくので、ユーザが選局操作した際に瞬時に概要画像を表示することができる。
【００６２】
本実施の形態によれば、ユーザによる選局操作時から画面が放送番組の放送データに切り替わるまでの間に、瞬時にレスポンスよく概要画像を表示させるので、ユーザの操作感を向上することができ、ユーザが画面切り替わり時に感じるストレスを軽減することができる。
【００６３】
最後に、本実施の形態で説明した放送データ配信装置１０と放送データ受信装置３０は、コンピュータで構成される。すなわち、放送データ蓄積部１３と概要画像記憶部とは、メモリ等の記憶手段で実現される。また、放送データ受信部１１と、放送データ配信部１２と、概要画像生成部１４と、概要画像配信部１５と、受信切替部３１と、選局操作信号受信部３２と、表示部３３とは、ＣＰＵ等の演算手段で実現され、プログラムで実行される。
【００６４】
最後に、本実施の形態で説明した概要画像提供システム１をプログラムとして光記憶装置や磁気記憶装置等の記録媒体に読出可能に記録し、この記録媒体をコンピュータに組み込んだり、若しくは記録媒体に記録されたプログラムを、任意の通信回線を介してコンピュータにダウンロードしたり、又は記録媒体からインストールし、当該プログラムでコンピュータを動作させることにより、上述した各処理動作を概要画像提供システム１として機能させることができるのは勿論である。
【符号の説明】
【００６５】
１…概要画像提供システム
１０…放送データ配信装置
１１…放送データ受信部（放送データ受信手段）
１２…放送データ配信部
１３…放送データ蓄積部（放送データ記憶手段）
１４…概要画像生成部（概要画像生成手段）
１５…概要画像配信部
３０…放送データ受信装置
３１…受信切替部
３２…選局操作信号受信部
３３…表示部（概要画像表示手段）
Ｓ…ステップ
【図１】
2012049780.tif 000003
【図２】
2012049780.tif 000004